(57)【要約】【課題】生活習慣病発症リスクの高いサービス利用者毎の最適な早期予兆検出及び管理が行える、疾病予兆管理サービスを得る。【解決手段】サービス利用者の身体の特定管理部位の生体データの平常状態と異常状態との変化の検出を行なう検出手段と、前記サービス利用者が家庭・介護施設内又は外出中の何れの場所にいても前記生体データを収集して通信ネットワークに伝送を行う通信手段と、前記通信ネットワークより全てのサービス利用者の生体データを２４時間且つリアルタイムに取得して所定フォーマットによる生体情報の作成及びデータベース蓄積を行うデータ処理手段と、前記生体情報を医学的に解析して所定フォーマットによる電子カルテの作成及びデータベース蓄積を行うデータ管理手段と、前記電子カルテを基に正常時と比較して生体変化が急変又は基準値を超えたサービス利用者の個別介護と状況に応じて救急発動を行う介護救急手段とを備える。【選択図】図１
2008040761.tif 000002
【特許請求の範囲】
【請求項１】
当該サービス利用者の身体の特定管理部位の生体データの平常状態と異常状態との変化の検出を行なう検出手段と、前記サービス利用者が家庭・介護施設内又は外出中の何れの場所にいても前記生体データを収集して通信ネットワークに伝送を行う通信手段と、前記通信ネットワークより全てのサービス利用者の生体データの平常状態と異常状態との変化を２４時間且つリアルタイムに取得して所定フォーマットによる生体情報の作成及びデータベース蓄積を行うデータ処理手段と、前記生体情報を医学的に解析して所定フォーマットによる電子カルテの作成及びデータベース蓄積を行うデータ管理手段と、前記電子カルテを基に正常時と比較して生体変化が急変又は基準値を超えたサービス利用者の個別介護と状況に応じて救急発動を行う介護救急手段と、を有したシステムにおいて、
全てのサービス利用者の身体状況が時間と場所を限定せずに年間を通じて２４時間且つリアルタイムに取得管理され、生活習慣病や骨折等の傷病の発生を予兆して寝たきり患者の発生を減少させるため、前記生体情報の変化を根拠としてサービス利用者毎に最適な早期予兆検出及び管理が行えることを特徴とした、疾病予兆管理サービス。
【請求項２】
上記検出手段として、バッテリーレスタイプのセンサ機能付きＲＦＩＤタグに少なくとも１個以上のセンサを接続して構成し、前記センサ機能付きＲＦＩＤタグ及びセンサは、粘着シートにて皮膚に直接貼り付けることができる可撓性を有した薄いシート形状とすることを特徴とした、請求項１に記載の疾病予兆管理サービス。
【請求項３】
上記通信手段として、家庭・介護施設内においては、固定リーダーとセンサ機能付きＲＦＩＤタグ間との通信が行える範囲内では前記固定リーダーとセンサ機能付きＲＦＩＤタグ間との無線通信を行い、固定リーダーとセンサ機能付きＲＦＩＤタグ間との通信が遮断されて行えない範囲内では前記ＲＦ通信装置とＲＦ通信モジュール間との無線通信を行い、どちらか一方を自動的に適宜切換えることによるシームレス通信が行えることを特徴とした、請求項１又は請求項２に記載の疾病予兆管理サービス。
【請求項４】
上記介護救急手段として、サービス利用者が家庭・介護施設内にいる場合は、当該家庭・介護施設内のユーザー端末に接続されたカメラ及びモニタ画面にて専門医等と映像対話又は電話による音声対話にて状況確認を行い、サービス利用者が外出中の場合は、当該サービス利用者が所持する携帯端末のモニタ画面にて専門医等と映像対話又は電話による音声対話にて状況確認を行い、救急処置が必要と判断された場合は、救急車を出動することを特徴とした、請求項１から請求項３の何れかに記載の疾病予兆管理サービス。
【請求項５】
サービス利用者は、自らの要求により、家庭・介護施設内のユーザー端末のモニタ画面又は自己が所持する携帯端末のモニタ画面にて自己の傷病履歴等を電子カルテで閲覧することができ、更に当該電子カルテを基に専門医等のカウンセリングを受けることができることを特徴とした、請求項１から請求項４の何れかに記載の疾病予兆管理サービス。
【発明の詳細な説明】
【技術分野】
【０００１】
本発明は、生活習慣病にかかるリスクの高い人（通常は健康体であるが健康診断等により生活習慣病の発症リスクを指摘されている人）の身体状況を、年間を通して２４時間且つリアルタイムに行い、平常状態と異常状態との変化を比較して検出された異常信号を取得管理することにより、生活習慣病や骨折等の傷病の発生を予兆して寝たきり患者の発生を減少させるための早期予兆検出及び管理を行うことができる、疾病予兆管理サービスに関するものである。
【背景技術】
【０００２】
近年、出生率減少に伴う少子高齢化により高齢者の人口割合が増大している。このような高齢社会における国の医療費は、２００４年で約３２兆円であり、更には２０１０年で約４０兆円，２０２５年では約７０兆円と予想されている。該医療費のうち特に老人医療費の増加が著しく、原因として入院医療費の高騰と入院期間の長期化が挙げられる。また、前記長期入院の原因として、大腿骨等の骨折，脳卒中，脳梗塞等により寝たきり状態となることにある。
【０００３】
今後の超高齢社会に向けて充実した医療を受けるためには、現行の医療制度や保険制度の見直しを図り、肥大化した医療費を削減する必要がある。このためには、日常の生活習慣を見直して健康な体の維持を図り傷病にかからないことを目的とする一次予防や、傷病の発生を予兆し、寝たきり患者の発生を減少させるための早期予兆検出を行う二次予防が必要となる。また最近、狭心症，脳卒中，肥満，高血圧，高脂血症，糖尿病，骨粗鬆症等の生活習慣病のうち、高血圧，高脂血症，糖尿病はそれぞれが独立した疾患ではなく内臓脂肪型肥満が原因であり、動脈硬化を引き起こし易くする状態いわゆるメタボリックシンドロームとなり、延いては心筋梗塞，狭心症，脳梗塞等の生命に関わる重大な疾患の原因となることが判明されてきた。
【０００４】
従来、既に傷病にかかっている患者の状態をセンサを用いて取得管理する予防管理システムは一部実用化されているが、今後は上記生活習慣病にかかるリスクの高い人の身体状況を２４時間且つリアルタイムに取得管理して、生活習慣病や骨折等の傷病の発生を予兆して寝たきり患者の発生を減少させるべく生体情報の変化を根拠としてサービス利用者毎に最適な早期予兆検出及び管理を行うことにより医療費の削減を図ることが重要となる。
【０００５】
上記目的を実施すべく、例えば特開２００２−０５６０９９号公報の『健康管理システム』では、生活習慣病患者とその予備軍のユーザー宅に、血圧計，体温計，血糖測定器，尿糖測定器等の各種測定器を配備し、情報通信回線を経由して健康管理センターや医療機関にデータを伝送し、前記健康管理センターや医療機関では各ユーザーの健康状態を診断して、各種健康管理情報を提供することができるシステムについて記載され、特開２００３−１３２１５０号公報の『集合住宅居住者の健康管理システム』では、マンション等の集合住宅に住む健康な人の身体情報を本人又は住居等に取り付けた生体センサにて直接通信ネットに接続し、ホストサーバのデータベースに電子カルテとして記憶し、更に病院等に設置したモニタセンタ端末にて健康状態を監視して、アドバイスを受けることができるシステムについて記載されている。
【０００６】
【特許文献１】特開２００２−０５６０９９
【特許文献２】特開２００３−１３２１５０
【発明の開示】
【発明が解決しようとする課題】
【０００７】
しかしながら、上記特開２００２−０５６０９９号公報に記載のものは、ユーザー宅に設置したバイタルセンサ制御部に血圧計，体温計，血糖測定器，尿糖測定器等の各種測定器を接続し、該測定器にて定期的に測定を行って得られた生体データや医療機関で定期検査した生体データ等を基にして医療機関からアドバイスを受けるものであり、外出中での測定は行うことができない。このため、身体状況を、２４時間且つリアルタイムに取得管理することができず、突発的に発生する大腿骨等の骨折，脳卒中，脳梗塞等の傷病の早期予兆検出を行うことができないという問題点があった。また、上記特開２００３−１３２１５０号公報に記載のものは、身体の各測定部位に取り付けたセンサより得られた計測データを受信機に送信し、更には通信ネットを介してモニタセンタ端末に接続するものであり、前記センサは電池内蔵の無線センサユニットを構成するものである。しかしながら、該電池内蔵の無線センサユニットの消費電力は比較的大きいため、連続使用すると短時間で電池が消耗してしまい、年間を通して２４時間連続使用することができないという問題点があった。また、外出時には送信部の電波を強力にして直接インターネットと接続可能にするとの記載があるが、電波法及び通信規格の観点からすればこのようなことは実施できるものではない。
【０００８】
本発明は、上記問題点を解決するために成されたものであり、生活習慣病にかかるリスクの高い人の身体状況を、年間を通して２４時間且つリアルタイムに行い、平常状態と異常状態との変化を比較して検出された異常信号を取得管理することにより、生活習慣病や骨折等の傷病の発生を予兆して寝たきり患者の発生を減少させるべく生体情報の変化を根拠としてサービス利用者毎に最適な早期予兆検出及び管理を行うことができる、疾病予兆管理サービスを提供することを目的とする。
【課題を解決するための手段】
【０００９】
上記課題を解決するため、本発明の疾病予兆管理サービスは、当該サービス利用者の身体の特定管理部位の生体データの平常状態と異常状態との変化の検出を行なう検出手段と、前記サービス利用者が家庭・介護施設内又は外出中の何れの場所にいても前記生体データを収集して通信ネットワークに伝送を行う通信手段と、前記通信ネットワークより全てのサービス利用者の生体データを２４時間且つリアルタイムに取得して所定フォーマットによる生体情報の作成及びデータベース蓄積を行うデータ処理手段と、前記生体情報を医学的に解析して所定フォーマットによる電子カルテの作成及びデータベース蓄積を行うデータ管理手段と、前記電子カルテを基に正常時と比較して生体変化が急変又は基準値を超えたサービス利用者の個別介護と状況に応じて救急発動を行う介護救急手段と、を有したシステムにおいて、全てのサービス利用者の身体状況が時間と場所を限定せずに年間を通じて２４時間且つリアルタイムに取得管理され、生活習慣病や骨折等の傷病の発生を予兆して寝たきり患者の発生を減少させるため、前記生体情報の変化を根拠としてサービス利用者毎に最適な早期予兆検出及び管理を行う。
【００１０】
上記検出手段として、バッテリーレスタイプのセンサ機能付きＲＦＩＤ（Radio Frequency Identification）タグに少なくとも１個以上のセンサを接続して構成し、前記センサ機能付きＲＦＩＤタグ及びセンサは、粘着シートにて皮膚に直接貼り付けることができる可撓性を有した薄いシート形状とする。
【００１１】
上記通信手段として、家庭・介護施設内においては、固定リーダーとセンサ機能付きＲＦＩＤタグ間との通信が行える範囲内では前記固定リーダーとセンサ機能付きＲＦＩＤタグ間との無線通信を行い、固定リーダーとセンサ機能付きＲＦＩＤタグ間との通信が遮断されて行えない範囲内では前記ＲＦ通信装置とＲＦ通信モジュール間との無線通信を行い、どちらか一方を自動的に適宜切換えることによるシームレス通信を行う。
【００１２】
上記介護救急手段として、サービス利用者が家庭・介護施設内にいる場合は、当該家庭・介護施設内のユーザー端末に接続されたカメラ及びモニタ画面にて専門医等と映像対話又は電話による音声対話にて状況確認を行い、サービス利用者が外出中の場合は、当該サービス利用者が所持する携帯端末のモニタ画面にて専門医等と映像対話又は電話による音声対話にて状況確認を行い、救急処置が必要と判断された場合は、救急車を出動する。
【００１３】
サービス利用者は、自らの要求により、家庭・介護施設内のユーザー端末のモニタ画面又は自己が所持する携帯端末のモニタ画面にて自己の傷病履歴等を電子カルテで閲覧することができ、更に当該電子カルテを基に専門医等のカウンセリングを受けることができる。
【発明の効果】
【００１４】
本発明の疾病予兆管理サービスによれば、生活習慣病にかかるリスクの高い人の身体状況を、年間を通して２４時間且つリアルタイムに行い、平常状態と異常状態との変化を比較して検出された異常信号を取得管理することにより、生活習慣病や骨折等の傷病の発生を予兆して寝たきり患者の発生を減少させるべく生体情報の変化を根拠としてサービス利用者毎に最適な早期予兆検出及び管理を行うことができるという絶大なる効果を奏する。
【発明を実施するための最良の形態】
【００１５】
本発明を実施するための最良の形態を図を用いて説明する。図１は本発明の疾病予兆管理サービスを実施するための概略システム構成図である。
【００１６】
まず、当該サービス利用者９の身体の特定管理部位に、生体データの平常状態と異常状態との変化の検出を行なう検出手段を設ける。該検出手段としては、バッテリーレスタイプすなわちパッシブ型のセンサ機能付きＲＦＩＤタグを用い、該センサ機能付きＲＦＩＤタグに目的に合った少なくとも１個以上のセンサを接続する。なお、前記センサ機能付きＲＦＩＤタグにおけるキャリア周波数は、１〜３ｍ程度の遠隔通信が行える２．４５ＧＨｚ又は３〜５ｍ程度の遠隔通信が行える９５３ＭＨｚ帯仕様のものが好ましい。
【００１７】
図５は本発明の疾病予兆管理サービスで用いるセンサ機能付きＲＦＩＤタグの一実施例による構成図であり、（ａ）はＲＦＩＤタグの内部に１個のセンサを内蔵したもの、（ｂ）はＲＦＩＤタグの外部に複数（３個）のセンサを接続したものを示している。（ａ）タイプは、センサ機能付きＲＦＩＤタグ１０の内部にＲＦＩＤチップ１１とアンテナ１２と充電用コンデンサ１３等を搭載し、更に前記ＲＦＩＤチップ１１に生体データの平常状態と異常状態との変化を検出する１個のセンサ１４を接続して構成する。また、（ｂ）タイプは、センサ機能付きＲＦＩＤタグ１０の内部にＲＦＩＤチップ１１とアンテナ１２と充電用コンデンサ１３等を搭載し、更に前記ＲＦＩＤチップ１１に接続された接続端子１５を当該センサ機能付きＲＦＩＤタグ１０の端部に設け、該接続端子１５に生体データの平常状態と異常状態との変化を検出する複数の外部センサ１４ａ，１４ｂ，１４ｃを接続して構成する。なお、上記センサ機能付きＲＦＩＤタグ１０及び外部センサ１４ａ，１４ｂ，１４ｃは、粘着シートにて皮膚に直接貼り付けることができる可撓性を有した薄いシート形状とする。また、外部センサ１４ａ，１４ｂ，１４ｃは３個描いてあるが、個数は特に限定するものではない。
【００１８】
上記充電用コンデンサ１３は、後述のリーダーと無線通信を行う際に発生する誘導起電力を当該センサ機能付きＲＦＩＤタグ１０とセンサ１４又は外部センサ１４ａ，１４ｂ，１４ｃを駆動するための電源として使用されるが、更に電力を必要とする場合は、他の発電素子（図示せず）を併用しても構わない。
【００１９】
上記（ａ）タイプのセンサ機能付きＲＦＩＤタグ１０の片面は粘着シートになっており、センサ１４をサービス利用者９の身体の特定管理部位に接触するように保護シート（図示せず）を剥がして貼り付ける。また、（ｂ）タイプのセンサ機能付きＲＦＩＤタグ１０の片面も粘着シートになっており、複数の外部センサ１４ａ，１４ｂ，１４ｃも夫々粘着シート１６が貼られており、該外部センサ１４ａ，１４ｂ，１４ｃをサービス利用者９の身体の特定管理部位に接触するように夫々の保護シート（図示せず）を剥がして貼り付け、更に前記外部センサ１４ａ，１４ｂ，１４ｃの近傍にも同様にしてセンサ機能付きＲＦＩＤタグ１０を貼り付ける。
【００２０】
上記（ａ）タイプのセンサ１４や（ｂ）タイプの外部センサ１４ａ，１４ｂ，１４ｃとしては、体温の平常状態と異常状態との変化を検出するためのセンサ，心拍数の平常状態と異常状態との変化を検出するためのセンサ，血圧の平常状態と異常状態との変化を検出するためのセンサ，心音の平常状態と異常状態との変化を検出するためのセンサ，転倒など身体の動きの平常状態と異常状態との変化を検出するためのセンサなど測定目的にあった各種センサを利用することが可能である。また、サービス利用者９の身体外に設置される測定器として、例えば体重計，血糖測定器，尿糖測定器などに上記センサ機能付きＲＦＩＤタグ１０を接続することにより、体重の平常状態と異常状態との変化，血糖値の平常状態と異常状態との変化，尿糖値の平常状態と異常状態との変化などの生体データもその都度得ることができる。
【００２１】
また、上記（ａ）タイプのセンサ１４や（ｂ）タイプの外部センサ１４ａ，１４ｂ，１４ｃの貼り付け個数は、サービス利用者９の身体の特定管理部位の箇所等により夫々異なるが、必要に応じて複数貼り付けることが可能である。これは、固有ＩＤを有したセンサ機能付きＲＦＩＤタグ１０により各生体データも前記固有ＩＤにて識別されるためである。
【００２２】
次に、上記サービス利用者９が家庭・介護施設１内又は外出中の何れの場所にいても前記生体データを収集して通信ネットワークに伝送を行う通信手段を設ける。該通信手段としては、サービス利用者９が家庭・介護施設１内にいる場合は、前記家庭・介護施設１内に構築されたＰＬＣ（Power Line Communications：電力線搬送通信）ネットワークや無線ＬＡＮ（Local Area Network）等のネットワークに接続された固定リーダー４と前記センサ機能付きＲＦＩＤタグ１０間との無線通信を行い、更に前記ＰＬＣネットワーク又は無線ＬＡＮ等に接続されたユーザー端末６を経由して通信ネットワークに接続する。また、サービス利用者９が外出中の場合は、該サービス利用者９が所持する携帯端末１７に接続した携帯用リーダーユニット１８と前記センサ機能付きＲＦＩＤタグ１０間との無線通信を行い、更に前記携帯用リーダーユニット１８に接続した携帯端末１７を経由して通信ネットワークに接続する。なお、図１及び以下の説明図では家庭・介護施設１内のネットワークとして電力線２にＰＬＣモデム３を接続したＰＬＣネットワークとし、通信ネットワークとしてＩＰネットワーク２１を示したが、これに限定するものではない。
【００２３】
図２は本発明の疾病予兆管理サービスにおける家庭・介護施設内の第一実施例のシステム構成図であり、図６は図２における通信系統図である。該システムは、介護施設より規模の小さな家庭での用途に適している。図２においては、家庭・介護施設１内に敷設された電力線２に、数メートル間隔毎の複数箇所にＰＬＣモデム３を接続し、更に固定リーダー４を前記ＰＬＣモデム３に接続し、机上等においてはカメラ７を接続したユーザー端末６に前記ＰＬＣモデム３を接続した状態を示している。ここで、例えばサービス利用者９がベッド８にて就寝している場合、当該サービス利用者９の身体に貼り付けられた複数のセンサ機能付きＲＦＩＤタグ１０と最短距離にある固定リーダー４間において無線通信が行われる。前記センサ機能付きＲＦＩＤタグ１０には少なくとも１個以上のセンサ１４が接続され（図６では３個の外部センサ１４ａ，１４ｂ，１４ｃが接続される）、ここで得られた生体データは、ＰＬＣモデム３を介してユーザー端末６に取り込まれ、ＩＰネットワーク２１に接続して伝送される。
【００２４】
図３は本発明の疾病予兆管理サービスにおける家庭・介護施設内の第二実施例のシステム構成図であり、図７は図３における通信系統図である。図３においては、家庭・介護施設１内に敷設された電力線２に、数十メートル間隔毎の複数箇所にＰＬＣモデム３を接続し、更に固定リーダー４及びＲＦ通信装置５を前記ＰＬＣモデム３に接続し、机上等においてはカメラ７を接続したユーザー端末６に前記ＰＬＣモデム３を接続した状態を示している。ここで、例えばサービス利用者９がベッド８にて就寝している場合、当該サービス利用者９の身体に貼り付けられた複数のセンサ機能付きＲＦＩＤタグ１０と当該ベッド８上又は近傍に設置されたリピーター２０間において無線通信が行われ、更に前記リピーター２０とＲＦ通信装置５間において無線通信が行われる。前記センサ機能付きＲＦＩＤタグ１０には少なくとも１個以上のセンサ１４が接続され（図７では３個の外部センサ１４ａ，１４ｂ，１４ｃが接続される）、ここで得られた生体データは、ＰＬＣモデム３を介してユーザー端末６に取り込まれ、ＩＰネットワーク２１に接続される。なお、該方式において、サービス利用者９の身体に貼り付けられた複数のセンサ機能付きＲＦＩＤタグ１０と最短距離にある固定リーダー４との距離が通信範囲内であれば、前記リピーター２０を中継しないで直接固定リーダー４と無線通信を行うことも可能である。
【００２５】
上記リピーター２０は、リーダーモジュール２８にＲＦ通信モジュール２９を接続して構成される。なお、前記ＲＦ通信モジュール２９及び上記ＲＦ通信装置５は、省電力で低コスト且つ１０〜１００ｍ程度の遠隔通信が行えるものとして、例えばZigBee（登録商標）やBluetooth（登録商標）等が利用できる。特にZigBeeによる通信では、バッテリー寿命は１年から数年間持続でき、バッテリー交換の頻度が極めて少ない。
【００２６】
図９は本発明の疾病予兆管理サービスにおける家庭・介護施設内の第三実施例のシステム構成図であり、図１０は図９における通信系統図である。該システムは、家庭及び小規模な介護施設より大規模な介護施設での用途に適している。図９においては、家庭・介護施設１内に敷設された電力線２に、数十メートル間隔毎の複数箇所にＰＬＣモデム３を接続し、更に固定リーダー４及びＲＦ通信装置５を前記ＰＬＣモデム３に接続し、机上等においてはカメラ７を接続したユーザー端末６に前記ＰＬＣモデム３を接続した状態を示している。ここで、例えばサービス利用者９が歩行している場合、当該サービス利用者９の身体に貼り付けられた複数のハイブリッドタグ３０と前記固定リーダー４又はＲＦ通信装置５間において無線通信が行われる。前記センサ機能付きＲＦＩＤタグ１０には少なくとも１個以上のセンサ１４が接続され（図１０では３個の外部センサ１４ａ，１４ｂ，１４ｃが接続される）、ここで得られた生体データは、ＰＬＣモデム３を介してユーザー端末６に取り込まれ、ＩＰネットワーク２１に接続して伝送される。
【００２７】
上記ハイブリッドタグ３０は、センサ機能付きＲＦＩＤタグ１０にＲＦ通信モジュール２９を接続して構成され、上記固定リーダー４とセンサ機能付きＲＦＩＤタグ１０間との無線通信と、上記ＲＦ通信装置５とＲＦ通信モジュール２９間との無線通信のどちらか一方が自動的に適宜切換えられる。具体的には、固定リーダー４とセンサ機能付きＲＦＩＤタグ１０間との通信が行える範囲内では前記固定リーダー４とセンサ機能付きＲＦＩＤタグ１０間との無線通信を行い、固定リーダー４とセンサ機能付きＲＦＩＤタグ１０間との通信が遮断されて行えない範囲内では前記ＲＦ通信装置５とＲＦ通信モジュール２９間との無線通信を行う。ここで、前記固定リーダー４とセンサ機能付きＲＦＩＤタグ１０間との通信が遮断された時は、ハイブリッドタグ３０内の電源線３１を経由してＲＦ通信モジュール２９に内蔵のバッテリーよりセンサ機能付きＲＦＩＤタグ１０のデータ処理部（図示せず）に電源を供給してデータ処理を実行させ、該処理にて得られた生体データをデータ信号線３２を経由してＲＦ通信モジュール２９に転送すると共にＲＦ通信装置５と無線通信を行う。なお、前記ＲＦ通信モジュール２９及びＲＦ通信装置５は、省電力で低コスト且つ１０〜１００ｍ程度の遠隔通信が行えるものとして、例えばZigBeeやBluetooth等が利用できる。特にZigBeeによる通信では、バッテリー寿命は１年から数年間持続でき、バッテリー交換の頻度が極めて少ない。
【００２８】
また、図１１は図９及び図１０におけるシームレス通信の原理図であり、ハイブリッドタグ３０を貼り付けたサービス利用者９が位置Ａ→Ｂ→Ｃ→Ｄ→Ｅと移動するときにおける、固定リーダー４とセンサ機能付きＲＦＩＤタグ１０間との通信と、ＲＦ通信装置５とＲＦ通信モジュール２９間との通信の切替え状態を示している。
【００２９】
まず、ＰＬＣネットワークとして電力線２に、ハイブリッドタグ３０内のセンサ機能付きＲＦＩＤタグ１０と通信を行うための固定リーダー４と、ハイブリッドタグ３０内のＲＦ通信モジュール２９と通信を行うためのＲＦ通信装置５を接続したＰＬＣモデム３を複数接続する。なお、ハイブリッドタグ３０内のセンサ機能付きＲＦＩＤタグ１０が近傍の固定リーダー４と通信可能な範囲を一点鎖線円内とする。
【００３０】
ここで、サービス利用者９が位置Ａの一点鎖線円内にあるとき、ハイブリッドタグ３０内のセンサ機能付きＲＦＩＤタグ１０と位置Ａに近い固定リーダー４間において無線通信が行われ、各種センサから検出された生体データがＰＬＣモデム３に伝送される。
【００３１】
次に、サービス利用者９が位置Ｂに移動すると、上記ハイブリッドタグ３０内のセンサ機能付きＲＦＩＤタグ１０と固定リーダー４間との通信が遮断される。該状態を検出後、ハイブリッドタグ３０内のＲＦ通信モジュール２９が起動して位置Ａ又は位置Ｃに近いＲＦ通信装置（図では位置Ｃに近いＲＦ通信装置）５間において通信が行われ、上記と同様に伝送処理が実行される。
【００３２】
次に、サービス利用者９が位置Cの点線円内に移動すると、上記ハイブリッドタグ３０内のＲＦ通信モジュール２９と位置Ｃに近いＲＦ通信装置５との通信が停止され、再びハイブリッドタグ３０内のセンサ機能付きＲＦＩＤタグ１０と位置Ｃに近い固定リーダー４との通信が行われ、上記と同様に伝送処理が実行される。
【００３３】
次に、サービス利用者９が位置Dに移動すると、上述の位置Ｂでの動作と同様の動作を行う。更にサービス利用者９が位置Ｅに移動すると、上述の位置Ｃでの動作と同様の動作を行う。以上のようにして、固定リーダー４とセンサ機能付きＲＦＩＤタグ１０間との通信と、ＲＦ通信装置５とＲＦ通信モジュール２９間との通信の切替えを行うことにより、シームレス通信が実施できる。
【００３４】
上記図２及び図６の方式は、サービス利用者９の身体に貼り付けられた複数のセンサ機能付きＲＦＩＤタグ１０と固定リーダー４間における無線通信によりシームレスに生体データを収集する方式のため、数メートル間隔毎に固定リーダー４を接続したＰＬＣモデム３が必要になるが、図３及び図７の方式は、サービス利用者９の身体に貼り付けられた複数のセンサ機能付きＲＦＩＤタグ１０と固定リーダー４間における無線通信又はリピーター２０を中継して前記サービス利用者９の身体に貼り付けられた複数のセンサ機能付きＲＦＩＤタグ１０とＲＦ通信装置５間における無線通信によりシームレスに生体データを収集する方式であり、図９及び図１０の方式は、サービス利用者９の身体に貼り付けられたハイブリッドタグ３０内の複数のセンサ機能付きＲＦＩＤタグ１０と固定リーダー４間における無線通信又は前記サービス利用者９の身体に貼り付けられたハイブリッドタグ３０内の複数のＲＦ通信モジュール２９とＲＦ通信装置５間における無線通信によりシームレスに生体データを収集する方式であるため、固定リーダー４及びＲＦ通信装置５を接続したＰＬＣモデム３は、数十メートル間隔毎の設置となり、前記方式に比べて設置台数が少なくて済む。
【００３５】
なお、上述の第一実施例から第三実施例において、固定リーダー４を隣接した通信範囲内で同時に複数稼動させると干渉により生体データを収集できなくなることがある。このような場合は、ユーザー端末６のタイマーによる時間監視により、複数の固定リーダー４の駆動順位やタイミングにずれが生じないように制御を行う必要がある。
【００３６】
また、図４は本発明の疾病予兆管理サービスにおける外出中のサービス利用者とネットワーク間のシステム構成図であり、図８は図４における通信系統図である。図４においては、サービス利用者９がＩＰネットワーク２１と接続可能な携帯電話等の携帯端末１７を所持して外出している状態を示している。ここで、例えばサービス利用者９が散歩や買物等により外出した場合、図８の（ａ）に示すように当該サービス利用者９の身体に貼り付けられた複数のセンサ機能付きＲＦＩＤタグ１０と前記携帯端末１７のインターフェースコネクタに直接接続された携帯用リーダーユニット１８間において無線通信が行われる。又は、図８の（ｂ）に示すように当該サービス利用者９の身体に貼り付けられた複数のセンサ機能付きＲＦＩＤタグ１０と前記携帯端末１７のインターフェースコネクタとケーブル接続されたリーダーユニット１９間において無線通信が行われる。前記センサ機能付きＲＦＩＤタグ１０には少なくとも１個以上のセンサ１４が接続され（図８では３個の外部センサ１４ａ，１４ｂ，１４ｃが接続される）、ここで得られた生体データは、携帯端末１７にてＩＰネットワーク２１に接続し、パケット通信にて伝送される。なお、前記リーダーユニット１９内に歩数表示計を内蔵すれば、外出時における消費カロリーが得られ、電子カルテにも反映されて有効利用できる。
【００３７】
上記のようにして、サービス利用者９が家庭・介護施設１内の何処にいようとも又は外出中であっても、生体データを欠損することなく年間を通して２４時間且つリアルタイムに収集することができる。
【００３８】
次に、上記ＩＰネットワーク２１により全てのサービス利用者９の生体データを２４時間且つリアルタイムに取得して所定フォーマットによる生体情報の作成及びデータベース蓄積を行うため、大型コンピュータ２５ａ及びデータベース２６ａを設置したデータ処理手段としての情報処理センター２２と、前記生体情報を医学的に解析して所定フォーマットによる電子カルテの作成及びデータベース蓄積を行うため、大型コンピュータ２５ｂ及びデータベース２６ｂを設置したデータ管理手段としての疾病予兆管理センター２３と、前記電子カルテを基に正常時と比較して生体変化が急変又は基準値を超えたサービス利用者９の個別介護と状況に応じて救急発動を行うため、サーバー２７を設置した介護救急手段としての介護・救急センター２４を配置する。
【００３９】
上記情報処理センター２２にて作成された全てのサービス利用者９の生体情報はＩＰネットワーク２１を介して疾病予兆管理センター２３に伝送され、更に前記疾病予兆管理センター２３にて作成された全てのサービス利用者９の電子カルテも同様にＩＰネットワーク２１を介して介護・救急センター２４に伝送される。前記情報処理センター２２と疾病予兆管理センター２３及び介護・救急センター２４は終日運営され、全てのサービス利用者９の生体情報は２４時間且つリアルタイムに監視される。このため、全てのサービス利用者９の身体状況が時と場所を限定せずに年間を通して２４時間且つリアルタイムに管理され、生活習慣病や骨折等の傷病の発生を予兆して寝たきり患者の発生を減少させるべく生体情報の変化を根拠としてサービス利用者毎に最適な早期予兆検出及び管理を行うことが可能となる。なお、疾病予兆管理センター２３は、新設された機関や既存の医療機関など、何れの業態であっても構わない。また、介護・救急センター２４は、民間又は公共の介護センター又は救急センターなど、何れの業態であっても構わない。
【００４０】
ここで、サービス利用者９の電子カルテを基に正常時と比較して生体変化が急変又は基準値を超えたと判断された場合、サービス利用者９が家庭・介護施設１内にいる場合には、当該家庭・介護施設１内のユーザー端末６に接続されたカメラ７及びモニタ画面にて疾病予兆管理センター２３内の専門医等と映像対話又は電話による音声対話にて状況確認を行う。また、サービス利用者９が外出中の場合には、サービス利用者９が所持する携帯端末１７のモニタ画面にて疾病予兆管理センター２３内の専門医等と映像対話又は電話による音声対話にて状況確認を行う。そして、症状に問題なければ適切なアドバイスがなされ、緊急性を有する場合には介護・救急センター２４より、担当介護士や看護師の派遣又は救急車の出動等が行われる。
【００４１】
上述のサービス利用者９は、生活習慣病にかかるリスクの高い人であるとともに本疾病予兆管理システムの運営体とサービス利用契約を締結することによりサービス提供が受けられる。運営規模は、市，町，村など単位が好ましい。また、サービス利用料は、運営体が民間や自治体等により有料又は無料等任意に設定して構わない。
【００４２】
また、上述の電子カルテは疾病予兆管理センター２３内の専門医等や、介護・救急センター２４内の担当介護士や看護師が閲覧して、サービス利用者９の身体状況を管理するために使用されるが、サービス利用者９は、自らの要求により、家庭・介護施設１内のユーザー端末６のモニタ画面又は自己が所持する携帯端末１７のモニタ画面にて自己の傷病履歴等を電子カルテで閲覧することができ、更に当該電子カルテを基に専門医等のカウンセリングを受けることができる。
【図面の簡単な説明】
【００４３】
【図１】本発明の疾病予兆管理サービスを実施するための概略システム構成図である。
【図２】本発明の疾病予兆管理サービスにおける家庭・介護施設内の第一実施例のシステム構成図である。
【図３】本発明の疾病予兆管理サービスにおける家庭・介護施設内の第二実施例のシステム構成図である。
【図４】本発明の疾病予兆管理サービスにおける外出中のサービス利用者とネットワーク間のシステム構成図である。
【図５】本発明の疾病予兆管理サービスで用いるセンサ機能付きＲＦＩＤタグの一実施例による構成図である。
【図６】図２における通信系統図である。
【図７】図３における通信系統図である。
【図８】図４における通信系統図である。
【図９】本発明の疾病予兆管理サービスにおける家庭・介護施設内の第三実施例のシステム構成図である。
【図１０】図９における通信系統図である。
【図１１】図９及び図１０におけるシームレス通信の原理図である。
【符号の説明】
【００４４】
１  家庭・介護施設
２  電力線
３  ＰＬＣモデム
４  固定リーダー
５  ＲＦ通信装置
６  ユーザー端末
７  カメラ
８  ベッド
９  サービス利用者
１０  センサ機能付きＲＦＩＤタグ
１１  ＲＦＩＤチップ
１２  アンテナ
１３  充電用コンデンサ
１４  センサ
１５  接続端子
１６  粘着シート
１７  携帯端末
１８  携帯用リーダーユニット
１９  リーダーユニット
２０  リピーター
２１  ＩＰネットワーク
２２  情報処理センター
２３  疾病予兆管理センター
２４  介護・救急センター
２５  大型コンピュータ
２６  データベース
２７  サーバー
２８  リーダーモジュール
２９  ＲＦ通信モジュール
３０  ハイブリッドタグ
３１  電源線
３２  データ信号線
【図１】
2008040761.tif 000003
【図２】
2008040761.tif 000004
【図３】
2008040761.tif 000005
【図４】
2008040761.tif 000006
【図５】
2008040761.tif 000007
【図６】
2008040761.tif 000008
【図７】
2008040761.tif 000009
【図８】
2008040761.tif 000010
【図９】
2008040761.tif 000011
【図１０】
2008040761.tif 000012
【図１１】
2008040761.tif 000013